(57)【特許請求の範囲】
【請求項１】
モバイルデバイスの充電端子に接続されるコネクタを備え、背面に同心円状のパターン電極が形成されて前記コネクタと電気的に接続され、前記パターン電極の内側に第１マグネットが、前記第１マグネットの中心が前記パターン電極の中心軸と重なる位置に内蔵され、前記パターン電極の周辺には前記パターン電極からの同じ距離に複数の第２マグネットが配置される端末ケース；および
前記パターン電極と接触する複数のピン端子を平板上に有するピン端子部を備え、前記ピン端子部の内側に前記第１マグネットと磁気的に結合する第３マグネットが、前記第３マグネットの中心と前記ピン端子部の平板の中心軸と重なる位置に内蔵され、前記端末ケースが所定の角度で回転できるように前記ピン端子部の周辺には前記ピン端子部からの同じ距離に前記複数の第２マグネットとそれぞれ磁気的に結合する第４マグネットが配置される据置台；
を含む、モバイルデバイスの充電装置。
【請求項２】
前記ピン端子部の複数のピン端子が、板ばね型である、請求項１に記載のモバイルデバイスの充電装置。
【請求項３】
前記据置台の前記第４マグネットは、前記ピン端子部の中心を基準として円周上に互いに対称となるように配置され、前記端末ケースの前記第２マグネットは前記第４マグネットに対応する位置に配置される、請求項１に記載のモバイルデバイスの充電装置。
【請求項４】
前記端末ケースが据置台上で９０°の角度で回転できるように、前記第２マグネットは少なくとも４つ配置され、前記第４マグネットは前記第２マグネットに対応する位置に配置される、請求項１に記載のモバイルデバイスの充電装置。
【請求項５】
前記据置台は、外部の入力コネクタと前記ピン端子部との間に設置されて前記ピン端子部への印加電力を遅延させ、前記ピン端子部へ供給される電力を監視して、電力レベルが一定のレベル以下の場合には前記ピン端子部への印加電力を遮断する電源遅延回路部をさらに含む、請求項１に記載のモバイルデバイスの充電装置。
【請求項６】
前記端末ケースの前記第１マグネットと前記第２マグネットとは互いに反対の磁極を有し、前記据置台の前記第３マグネットと前記第４マグネットとは互いに反対の磁極を有する、請求項１に記載のモバイルデバイスの充電装置。
【請求項７】
前記第２マグネットは前記第１マグネットより小さいサイズに形成され、
前記第４マグネットは前記第３マグネットより小さいサイズに形成され、
前記第２マグネットと前記第４マグネットとは同一のサイズに形成される、
請求項１に記載のモバイルデバイスの充電装置。
【請求項８】
前記ピン端子部は、前記据置台に内蔵された板ばねの一部がホールを介して外部へ突出した形態を有する、請求項１に記載のモバイルデバイスの充電装置。
【請求項９】
前記ピン端子部の複数のピン端子が、中心端子からの距離がそれぞれ異なるように配置される、請求項１に記載のモバイルデバイスの充電装置。
【請求項１０】
前記ピン端子部の複数のピン端子が、前記パターン電極に１：１で対応するように配置され、前記パターン電極の中心電極に対応する中心端子から左／右側へ交互に互いに異なる距離上に配置される、請求項１に記載のモバイルデバイスの充電装置。
【請求項１１】
前記据置台には、交流電源を直流電源に変換して供給するアダプターが接続される、請求項１に記載のモバイルデバイスの充電装置。
【請求項１２】
モバイルデバイスの充電端子に接続されるコネクタを備え、背面に同心円状のパターン電極が形成されて前記コネクタと電気的に接続され、前記パターン電極の内側に第１マグネットが、前記第１マグネットの中心が前記パターン電極の中心軸と重なる位置に内蔵される端末ケース；および
前記パターン電極と接触する複数のピン端子を平板上に有するピン端子部を備え、前記ピン端子部の内側に前記第１マグネットと磁気的に結合する第３マグネットが、前記第３マグネットの中心が前記ピン端子部の平板の中心軸と重なる位置に内蔵される充電ターミナル；
を含み、
前記ピン端子部の複数のピン端子が、板ばね型である、モバイルデバイスの充電装置。
【請求項１３】
前記充電ターミナルの一側に、直流電源を供給されるＵＳＢコネクタが接続される、請求項１２に記載のモバイルデバイスの充電装置。
【請求項１４】
前記ピン端子部は、前記充電ターミナルに内蔵された板ばねの一部がホールを介して外部へ突出した形態を有する、請求項１２に記載のモバイルデバイスの充電装置。
【請求項１５】
前記ピン端子部の前記複数のピン端子は、前記パターン電極に１：１で対応するように一列に配置され、前記パターン電極の中心電極に対応する中心端子から左／右側へ交互に互いに異なる距離上に配置される、請求項１２に記載のモバイルデバイスの充電装置。
【発明の詳細な説明】
【技術分野】
【０００１】
本発明は、一般に、モバイルデバイスのための充電装置に関し、より具体的には、マグネットを用いてモバイルデバイスと充電器を磁気的に結合させると共に電気端子を互いにマッチングさせることによりモバイルデバイスを充電する、モバイルデバイスのための充電装置に関する。
【背景技術】
【０００２】
一般に、セルラーフォン、スマートフォンおよびＰＤＡ（Ｐｅｒｓｏｎａｌ  Ｄｉｇｉｔａｌ  Ａｓｓｉｓｔａｎｔ）などのモバイルデバイスは、移動性が良く、携帯が簡便であって普遍的に使用されている。これにより、モバイルデバイスのバッテリーを充電する有線充電器も製造されたバッテリーの形態または規格に合わせて互いに異なる形態に製造されており、消費者のニーズに応えるようにモバイルデバイスの機能向上および軽量化を追求しようとする傾向により、同じ製造業者でも様々な形態のモバイルデバイスとそれに合う様々な形態の充電器が製造されている。
【０００３】
モバイルデバイスは、アダプターなどの電源供給器を介して、直流電源の供給を受け、或いは内蔵されたバッテリーを充電する。アダプターは、入力された商用交流電源を所定の直流電圧に変換する装置である。
【０００４】
モバイルデバイスは、直流電源の供給を受けるために、モバイルデバイスのメスコネクタにアダプターのオスコネクタが嵌合されなければならない。
【０００５】
しかし、オスコネクタをメスコネクタに差し込んで接続する方式は、接続過程でコネクタの損傷が発生するおそれがあり、機器に設置されたメスコネクタを探し、このメスコネクタに対してオスコンクタを垂直に差し込んだり抜き取ったりしなければならないなどの様々な不便さが存在する。このような不便さを改善するためにマグネットをコネクタに用いた事例は、長らく前から開発されて特開１９８８−２７４０７０号公報（公開日：１９８８年１１月１１日、名称：コネクタ装置）、米国特許出願公開第２０１０／００８０５６３号（公開日：２０１０年４月１日、名称：ＭＡＧＮＥＴＩＣ  ＣＯＮＮＥＣＴＯＲ  ＷＩＴＨ  ＯＰＴＩＣＡＬ  ＳＩＧＮＡＬ  ＰＡＴＨ）および米国特許出願公開第２０１２／００２１６１９号（公開日：２０１２年１月２６日、名称：ＰＲＯＧＲＡＭＭＡＢＬＥ  ＭＡＧＮＥＴＩＣ  ＣＯＮＮＥＣＴＯＲＳ）などに紹介された。
【０００６】
このようにマグネットを用いた充電装置も、韓国特許第１１１６１５９号（登録日：２０１２年２月７日、名称：端子接続モジュールおよびこれを備えた端子接続装置）に紹介された。ところが、このような接続装置も第１接続体が第２接続体において自由に回転するが、第１接続体を所望の角度で固定することができず、第２接続体に多数のパターン形成部が形成されているためサイズが大きくなる。
【０００７】
最近では、技術の発達に伴って新しい充電器が普及しつつある。このような充電器では、既存の充電方式の問題点を解決するために、電気的接触なしで磁気誘導方式を用いてバッテリーを充電する無接点充電方式が使われている。ところが、このような無接点充電器は、その設計が複雑であるとともに、製造コストが高いという問題点がある。
【発明の概要】
【発明が解決しようとする課題】
【０００８】
本発明は、従来技術において生じる上述した問題を念頭においてなされたものであり、マグネットを用いてモバイルデバイスと充電据置台を磁気的に結合させると共に電気端子を互いにマッチングさせることにより、モバイルデバイスを便利に充電することができる、モバイルデバイスの充電装置を提供しようとする。
【０００９】
また、本発明は、マグネットの配置によってモバイルデバイスを任意の角度で自由に充電据置台から着脱したり充電据置台で回転させたりすることが可能であってモバイルデバイスの充電の際に便利性を向上させた、モバイルデバイスの充電装置を提供しようとする。
【００１０】
本発明が解決しようとする技術的課題は前述した技術的課題に制限されず、前述していない他の技術的課題は以降の記載から本発明の属する技術分野における通常の知識を有する者に明確に理解できるであろう。
【課題を解決するための手段】
【００１１】
上記目的を達成するために、本発明の充電装置は、モバイルデバイスの充電端子に接続されるコネクタを備え、背面に同心円状のパターン電極が形成されて前記コネクタと電気的に接続され、前記パターン電極の内側に第１マグネットが内蔵され、前記パターン電極の周辺には前記パターン電極からの同じ距離に第２マグネットが内蔵された端末ケース；および前記パターン電極と接触する板ばね型のピン端子部を備え、前記ピン端子部の内側に前記第１マグネットと磁気的に結合する第３マグネットが内蔵され、前記端末ケースが所定の角度で回転できるように、前記ピン端子部の周辺には前記ピン端子部からの同じ距離に前記第２マグネットと磁気的に結合する第４マグネットが内蔵される据置台；を含むことができる。
【００１２】
前記端末ケースの第２マグネットは前記パターン電極の中心を基準として円周上に互いに対称となるように配置され、前記据置台の第４マグネットは第２マグネットに対応する位置に配置できる。
【００１３】
前記端末ケースが据置台上で９０°の角度で回転できるように、前記第２マグネットは少なくとも４つ構成され、前記互いに隣接した各マグネット間の距離が同一となるように配置され、前記第４マグネットは第２マグネットに対応する位置に配置できる。
【００１４】
また、前記据置台は、外部の入力コネクタと前記ピン端子部との間に設置されて前記ピン端子部への供給電力を遅延させ、前記ピン端子部へ供給される電力を監視して、電力レベルが一定のレベル以下の場合にはピン端子部への供給電力を遮断する電源遅延回路部をさらに含むことができる。
【００１５】
前記端末ケースの第１マグネットと第２マグネットは互いに反対の磁極を有し、前記据置台の第３マグネットと第４マグネットは互いに反対の磁極を有し得る。
【００１６】
前記第２マグネットは前記第１マグネットより小さいサイズに形成され、前記第４マグネットは前記第３マグネットより小さいサイズに形成され、前記第２マグネットと前記第４マグネットは同じサイズに形成できる。
【００１７】
前記ピン端子部の複数のピン端子は、前記パターン電極に１：１で対応するように配置され、前記パターン電極の中心電極に対応する中心端子から左／右側へ交互に互いに異なる距離上に配置できる。
【００１８】
上記目的を達成するために、本発明の他の充電装置は、モバイルデバイスの充電端子に接続されるコネクタを備え、背面の表面に同心円状のパターン電極が形成されて前記コネクタと電気的に接続され、前記パターン電極の内側に第１マグネットが内蔵された端末ケース；および前記パターン電極とそれぞれ接触する複数のピン端子を有する板ばね型のピン端子部を備え、前記ピン端子部の内側に前記第１マグネットと磁気的に結合する第３マグネットが内蔵された充電ターミナル；を含むことができる。
【００１９】
前記充電ターミナルの一側に、直流電源を供給されるＵＳＢコネクタが接続できる。
【発明の効果】
【００２０】
上述したように、本発明は、マグネットを用いてモバイルデバイスと充電据置台を磁気的に結合させると共に電気端子を互いにマッチングさせることにより、モバイルデバイスの充電の際に使用上の便宜性を向上させることができる。
【００２１】
モバイルデバイスの充電の際に機構的な結合ではなく、磁気的な結合を用いることにより、コネクタの結合のために別途の努力が不要であり、頻繁な着脱によるコネクタの損傷を源泉的に防止することができるという利点がある。
【００２２】
マグネットの適切な配置によってモバイルデバイスを任意の角度で自由に据置台から着脱したり据置台で回転させたりすることが可能であってモバイルデバイスの充電の際に使用上の便宜性を向上させるうえ、マグネットを用いた磁気結合による単純な構造の充電方式によってモバイルデバイスを既存の有線充電器のように迅速に結合させることができるとともに、磁気誘導方式の無接点充電器のように便利に利用することができるという利点がある。
【図面の簡単な説明】
【００２３】
【図１】本発明の一実施例に係るモバイルデバイスの充電装置を示す図である。
【図２】本発明の一実施例に係るモバイルデバイスの充電装置を示す図である。
【図３】本発明に係る据置台上における端末ケースの回転を示す図である。
【図４】本発明に係る端末ケースを分離した図である。
【図５】本発明に係る据置台を分離した図である。
【図６】本発明に係る電源遅延回路部を示す回路図である。
【図７】本発明に係る第２および第４マグネットの他の配置を示す図である。
【図８】本発明の他の実施例に係るモバイルデバイスの充電装置を示す図である。
【図９】本発明の他の実施例に係るモバイルデバイスの充電装置を示す図である。
【発明を実施するための形態】
【００２４】
以下に添付図面を参照しながら、本発明の好適な実施例を詳細に説明する。図面中、同一の構成要素はできる限り何処でも同一の符号で表示する。また、本発明の要旨を不明瞭にする可能性のある公知の機能および構成についての詳細な説明は省略する。
【００２５】
図１および図２は本発明の一実施例に係るモバイルデバイスの充電装置を示す外観図であって、充電装置は端末ケース１００と据置台２００を含んでなる。
【００２６】
端末ケース１００は、弾性のあるポリマー基材（ｓｕｂｓｔｒａｔｅ）またはプラスチックからなっているもので、下部にはモバイルデバイス１０の充電端子１５と接続されるコネクタ１０３が備えられ、背面の表面に同心円状のパターン電極部１１０が形成されてコネクタ１０３と電気的に接続され、パターン電極部１１０の内側に第１マグネット１３０が内蔵され、パターン電極部１１０の周辺にパターン電極部１１０からの同じ距離に第２マグネット１５０が内蔵されている。ここで、第１マグネット１３０はパターン電極１１１〜１１４によってパターン電極部１１０に内蔵されなければならないが、第２マグネット１５０はケースに内蔵されるように、或いはケースの外部に露出するように配置できる。パターン電極部１１０は円形基板１１７上に電極が同心円状にパターニングされている。パターン電極１１１〜１１４は電源端子１１３（Ｖ＋）、１１４（ＧＮＤ）とデータ端子１１１（Ｄ＋）、１１２（Ｄ−）がそれぞれ同心円状に配置できる。
【００２７】
据置台２００は、パターン電極部１１０に対応するピン端子部２１０を備えるが、ピン端子部２１０には、パターン電極１１１〜１１４とそれぞれ接触する板ばね型のピン端子２１１（Ｄ＋）、２１２（Ｄ−）、２１３（Ｖ＋）、２１４（ＧＮＤ）が形成されている。ピン端子部２１０の内側には第１マグネット１３０と磁気的に結合する第３マグネット２３０が内蔵され、ピン端子部２１０の周辺にはピン端子部２１０からの同じ距離に第２マグネット１５０と磁気的に結合する第４マグネット２５０が内蔵されている。ここで、第３マグネット２３０はピン端子２１１〜２１４によってピン端子部２１０に内蔵されなければならないが、第４マグネット２５０は据置台に内蔵されるように、或いは据置台の外部に露出するように配置できる。
【００２８】
据置台２００には、外部から入力された商用交流電源を直流電源へ変換するアダプターが接続できる。
【００２９】
端末ケース１００のパターン電極部１１０の周辺に内蔵される第２マグネット１５０は、パターン電極部１１０の中心を基準として、水平軸と垂直軸に対して互いに対称となるように配置され、据置台２００の第４マグネット２５０は第２マグネット１５０に対応する位置に配置される。
【００３０】
端末ケース１００の第１マグネット１３０と第２マグネット１５０は互いに異なる磁極に配置でき、据置台２００の第３マグネット２３０と第４マグネット２５０も互いに異なる磁極に配置できる。たとえば、第１マグネット１３０がＮ極であれば、第２マグネット１５０はＳ極であってもよく、第３マグネット２３０がＳ極であれば、第４マグネット２５０はＮ極であってもよい。
【００３１】
据置台２００のピン端子部２１０は、内蔵された板ばねの一部（ピン端子）がスポット状にホール２１８を介して外部へ突出した形態を有し、各ピン端子２１１〜２１４は、同心円状のパターン電極１１１〜１１４に１：１で対応するように一列に配置できる。また、ピン端子２１１〜２１４は、パターン電極１１１〜１１４に１：１で対応するように配置され、前記パターン電極１１１〜１１４の中心電極１１１に対応する中心端子２１１から左／右側へ交互に互いに異なる距離上に配置できる。ここで、接地端子２１４（ＧＮＤ）の場合は、電源の安全上、複数のピンで形成できる。
【００３２】
図３に示すように端末ケース１００が据置台２００上で所定の角度で回転できるように、図２に示すように第２マグネット１５０が少なくとも４つ構成でき、各マグネット１５１〜１５４間の距離ｄ１、ｄ２、ｄ３、ｄ４も互いに同一となるように配置されなければならない。この際、各マグネット１５１〜１５４は中心電極１１１からの距離も同一となるように配置されなければならない。勿論、据置台の第４マグネット２５０は第２マグネット１５０に対応する位置に配置されなければならない。
【００３３】
端末ケース１００は、図４に示すように、本体１０１と背面カバー１０５からなっている。本体１０１の内側と背面カバー１０５との間には一定の空間が設けられ、本体１０１の内側には第１マグネット１３０が支持部１４０によって固定設置され、第１マグネット１３０の周辺には第１マグネット１３０からの同じ距離に第２マグネット１５０がそれぞれ設置されている。そして、背面カバー１０５の中心に貫通孔１０７が設けられており、円形基板１１７に設けられた同心円状のパターン電極部１１０は貫通孔１０７に挿入されて外部へ露出し、所定のスペーサー１２０を介して支持部１４０に嵌合される。支持部１４０は本体１０１の内側に接着剤や超音波接着などで接合される。支持部１４０にはスペーサー１２０が接合できる。パターン電極部１１０の導線１１９はパターン電極部１１０の下端面にロウ付けされ、前面のコネクタ１０３と電気的に接続される。ここで、第２マグネット１５０の場合は本体１０１の内側ではなく、背面カバー１０５側に固定設置されてもよい。
【００３４】
図４に示すように、第２マグネット１５０は、第１マグネット１３０より磁気力を弱化させるために、小さいサイズに形成できる。もし第２マグネット１５０の磁気力が第１マグネット１３０より強い場合には、端末ケース１００が据置台２００上で自由に回転することが容易ではない。すなわち、第１マグネット１３０は端末ケースの回転の際に回転軸となるものであるので、強い磁気力を有することが安定性を確保することができるため良い。しかし、第２マグネット１５０の場合は、回転軸ではなく、回転される部分であるので、第１マグネット１３０より弱い磁気力を有することが自由な回転において有利である。このような理由により、据置台２００の第４マグネット２５０も第３マグネット２３０より小さいサイズを使用することが好ましい。
【００３５】
据置台２００は、図５に示すように、本体２０１と前面カバー２０５からなっている。前面カバー２０５と本体２１０との間には一定の空間が設けられ、本体２０１には所定の固定部材２２０によって第３マグネット２３０が固定設置され、ピン端子部２１０は固定部材２２０に結合して本体２０１に固定設置される。前面カバー２０５の背面には第３マグネット２３０の周辺に第３マグネット２３０からの同じ距離に第４マグネット２５０がそれぞれ設置されている。そして、前面カバー２０５の中心に貫通孔２０７が設けられており、円板型のピン端子部２１０は前面カバー２０５の貫通ホール２０７に挿入されて外部へ露出する。ピン端子２１１〜２１４の導線２１９は、各端子の一側にロウ付けされ、本体２０１に形成されたコネクタ２０３と電気的に接続される。前記コネクタ２０３にはアダプターが接続できる。ピン端子２１１〜２１４は、パターン電極１１１〜１１４と同様に、電源端子２１３（Ｖ＋）、２１４（ＧＮＤ）とデータ端子２１１（Ｄ＋）、２１２（Ｄ−）で形成できる。
【００３６】
ここで、端末ケース１００のパターン電極部１１０と据置台２００のピン端子部２１０との正確なマッチングのために、第１マグネット１３０と第３マグネット２３０間、および第２マグネット１５０と第４マグネット２５０間の正確な配置が最も重要である。
【００３７】
、図６に示すように、本体２０１に形成されたコネクタ２０３とピン端子部２１０との間に電源遅延回路部２７０が設置されている。これは、パターン電極部１１０とピン端子部２１０が磁気力によって接触するため、接触過程で電極が正確にマッチングされずに一時的にミスマッチングされてショート（ｓｈｏｒｔ）が発生する状況を防止するためである。勿論、電気的にショートが発生すると、電力供給源たるアダプターなどの内部回路が損傷するおそれがある。
【００３８】
すなわち、電源遅延回路部２７０は、ピン端子部２１０への供給電力を遅延させるとともに、ピン端子部２１０への供給電力を監視して電力レベルが一定のレベル以下の場合にはピン端子部２１０への供給電力を遮断するように構成されている。電源遅延回路部２７０は、第１スイッチング素子Ｑ１、第２スイッチング素子Ｑ２、電源プロテクターＵ１および演算増幅部Ｕ２を含んでなる。
【００３９】
第１スイッチング素子Ｑ１は、本体２０１に形成された入力コネクタ２０３とピン端子部２１０の電源端子Ｖ＋間の電源ラインＰＬ１に電流通路が接続され、入力された制御信号に基づいてスイッチングされるように構成されている。第２スイッチング素子Ｑ２は、第１スイッチング素子Ｑ１のゲートと接地電圧ＧＮＤとの間に電流通路が接続され、入力された制御信号に基づいてスイッチングされるように構成されている。
【００４０】
電源プロテクターＵ１は、電源ラインＰＬ１の電力レベルが一定のレベル以上の場合には第２スイッチング素子Ｑ２と第１スイッチング素子Ｑ１を順次ターンオンさせて外部電圧に応じて第１スイッチング素子Ｑ１を制御する。
【００４１】
演算増幅部Ｕ２は、第１スイッチング素子Ｑ１の両端電圧を感知し、両端電圧が異なる場合、電源プロテクターＵ１を介して第１スイッチング素子Ｑ１がターンオフされるように制御する。
【００４２】
このように構成された電源遅延回路部２７０は、アダプターまたはコンピュータからコネクタ２０３を介して電力が印加されると、電源プロテクターＵ１のＶＤＤ端子に電力が印加され、Ｖｏｕｔ端子を動作させて第２スイッチング素子Ｑ２と第１スイッチング素子Ｑ１を順次ターンオンさせることによりピン端子部２１０の電源端子Ｖ＋へ供給される。この際、電源プロテクターＵ１のＶＤＤ端子に一定の電圧以上が印加されると、所定の時間以後にＶｏｕｔが第１スイッチング素子Ｑ１をターンオンさせる。
【００４３】
端末ケース１００のパターン電極部１１０が据置台２００のピン端子部２１０に接触するときに電気的にショートしてピン端子部２１０の電源ラインＰＬ１の電圧レベルが一定のレベル以下に落ちると、第６抵抗Ｒ６を経て電源プロテクターＵ１のＶＤＤ端子に印加される電圧も一定のレベル以下と認識される。これにより、Ｖｏｕｔ端子を介して第１スイッチング素子Ｑ１がターンオフされてピン端子部２１０の電源端子Ｖ＋への供給電力が遮断される。これは、端末ケース１００と据置台２００とが結合するときに誤動作し、電源に過負荷がかかって電力供給源に負荷を与えて問題が発生するおそれがあるから、電源を保護するための回路として動作する。したがって、端末ケース１００と据置台２００との接続の際に電気的なショートによりアダプターの内部回路またはコンピュータのＵＳＢ回路を損傷させることはない。
【００４４】
また、演算増幅部Ｕ２は、第１スイッチング素子Ｑ１の両端電源のレベルを感知してＯＵＴ端子を介して電源プロテクターＵ１のＶＤＤ端子のレベルを一定のレベル以下に降下させ、これにより電源プロテクターＵ１のＶｏｕｔ端子を介して第１スイッチング素子Ｑ１をターンオフさせてアダプターまたはコンピュータのＵＳＢポートを保護する。これは、ピン端子部２１０の電源端子Ｖ＋に電力が印加されてアダプターまたはコンピュータのＵＳＢポートへ電力が逆方向に流れて破損することを保護する。
【００４５】
一方、図７に示すように、第２マグネット１５０と第４マグネット２５０を、図２とは異なるように配置することもできる。端末ケース１００のパターン電極部１１０の周辺に設けられた第２マグネット１５０は、パターン電極部１１０を中心として垂直軸と水平軸の方向に設置されたことが図２とは異なる。ここで、第２マグネット１５１〜１５４は、パターン電極部１１０の中心から同じ距離に配置されており、互いに隣接したマグネット間の距離ｄ１、ｄ２、ｄ３、ｄ４が同一となるように設けられている。勿論、据置台２００の第４マグネット２５１〜２５４も、第２マグネット１５１〜１５４に対応する位置に配置されている。
【００４６】
すなわち、本発明では、パターン電極部１１０の中心を基準として形成された円周（ａ）上に４つの第２マグネット１５１〜１５４を配置するが、各マグネット１５１〜１５４間の距離ｄ１、ｄ２、ｄ３、ｄ４が同一となるように配置すればよい。
【００４７】
このように第２マグネット１５０を配置する場合、端末ケース１００を据置台２００上で９０°の角度で回転させることが可能である。
【００４８】
図８および図９は本発明の他の実施例に係るモバイルデバイスの充電装置を示す図であって、充電装置は端末ケース１００および充電ターミナル３００を含んでなる。図８は端末ケース１００と充電ターミナル３００を分離した状態を示し、図９は端末ケース１００のパターン電極部１１０に充電ターミナル３００を結合させた状態を示す。
【００４９】
端末ケース１００は、背面に同心円状のパターン電極１１１〜１１４が形成され、前記パターン電極部１１０の内側に第１マグネット１３０が内蔵されている。ここで、端末ケースは図４と同様に構成できるが、第２マグネットは不要である。
【００５０】
充電ターミナル３００は、ハウジング３０１内にパターン電極１１１〜１１４とそれぞれ接触する板ばね型のピン端子部３１０を備え、前記ピン端子部３１０の内側に前記第１マグネット１３０と磁気的に結合する第３マグネット（図示せず）が内蔵されている。充電ターミナル３００の一側には、ケーブル３７０を介して直流電源の供給を受けるＵＳＢコネクタ３９０が接続されている。
【００５１】
充電ターミナル３００のピン端子部３１０は、内蔵された板ばねの一部がスポット状にホール３１８を介して外部へ突出した形態を有し、ピン端子部３１０は、同心円状のパターン電極部１１０に１：１で対応するように一列に配置できる。また、ピン端子３１１〜３１４は、パターン電極１１１〜１１４に１：１で対応するように配置され、前記パターン電極１１１〜１１４の中心電極１１１に対応する中心端子３１１から左／右側へ交互に互いに異なる距離上に配置できる。充電ターミナル３００の内部構造は基本的に図５のピン端子部２１０と同様に構成できるので、詳細な説明は省略する。
【００５２】
充電ターミナル３００の場合は、ケーブルの一端に設置されたＵＳＢコネクタ３９０をコンピュータのＵＳＢ端子に差し込んだ後、コンピュータから出力される直流電源でモバイルデバイスを充電する。
【産業上の利用可能性】
【００５３】
本発明によれば、マグネットを用いてモバイルデバイスと充電据置台を磁気的に結合させると共に電気端子を互いにマッチングさせることにより、モバイルデバイスの充電の際に使用上の便宜性を向上させることができ、モバイルデバイスの充電の際に機構的な結合ではなく、磁気的な結合を用いることにより、コネクタの結合のために別途の努力が不要であり、頻繁な着脱によるコネクタの損傷を源泉的に防止することができる。また、マグネットの適切な配置によってモバイルデバイスを任意の角度で自由に据置台から着脱したり据置台上で回転させたりすることが可能であってモバイルデバイスの充電の際に使用上の便宜性を向上させることができる。
【００５４】
また、本発明によれば、マグネットを用いた磁気的な結合によってモバイルデバイスを充電することにより、既存の無接点充電器のように便利に充電することができる。
【００５５】
本発明は好適な実施例を中心として考察したが、本発明の属する技術分野における通常の知識を有する者は、本発明の本質的な技術範囲内で、前記本発明の詳細な説明と異なる形態の実施例を具現することができる。ここで、本発明の本質的な技術範囲は特許請求の範囲に現れており、それと均等の範囲内にある全ての差異点は本発明に含まれるものと解釈されるべきであろう。
【図１】
0005845359.tif 000002
【図２】
0005845359.tif 000003
【図３】
0005845359.tif 000004
【図４】
0005845359.tif 000005
【図５】
0005845359.tif 000006
【図６】
0005845359.tif 000007
【図７】
0005845359.tif 000008
【図８】
0005845359.tif 000009
【図９】
0005845359.tif 000010